(57)【要約】【課題】  記録型の光ディスクに対して、入力レートよりも大きい記録レートでデータを記録するときに、光ディスクに対して常に適正な記録品質でデータの記録が行え、且つ光ディスクのデータ領域に無駄を生じさせない光ディスク装置を提供する。【解決手段】  光ディスク装置１は、入力レートよりも大きい記録レートでデータを光ディスクに記録する倍速記録を行っているときに、光ディスク２０へのデータの記録動作を一時的に停止する記録待機の状態になると、光ディスク２０に直前に記録した所定量のデータを読み取る。そして、光ディスク２０から読み取ったデータの読取信号を用いて、データの記録時に光ディスク２０に照射するレーザ光の記録パワーを修正する。したがって、追記型、書換型の光ディスクにかかわらず、光ディスクのデータ領域に無駄を生じさせることがなく、また常に適正な記録品質でデータを光ディスク２０に記録することができる。【選択図】  図１
2006302391.tif 000002
【特許請求の範囲】
【請求項１】
本体にセットされている光ディスクに記録するデータが入力される入力手段と、
前記光ディスクにレーザ光を照射し、前記入力手段に入力されたデータを光ディスクに記録する記録手段と、
前記記録手段がデータの記録時に光ディスクに照射するレーザ光の記録パワーを制御する記録パワー制御手段と、を備えた光ディスク装置において、
前記記録手段が前記入力手段におけるデータの入力レートよりも大きい記録レートで、前記入力手段に入力されたデータを前記光ディスクに記録する倍速記録を行っているとき、前記記録手段における前記光ディスクへのデータの記録動作が一時的に停止された記録待機時に、前記光ディスクに直前に記録した所定量のデータを読み取り、このデータの読取信号を用いて、前記記録手段が前記光ディスクにデータを記録するときの記録パワーを修正する記録パワー修正手段を備え、
前記記録パワー制御手段は、前記記録手段が記録動作を再開したとき、前記記録手段が前記光ディスクに照射するレーザ光を、前記記録パワー修正手段により修正された記録パワーに制御し、
前記記録パワー修正手段は、前記記録待機時に前記光ディスクから読み取ったデータの読取信号のピークと、ボトムとの差が所定の範囲内でなければ、この差に基づいて、前記記録手段が前記光ディスクにデータを記録するときの記録パワーを修正し、反対に前記読取信号のピークと、ボトムとの差が所定の範囲内であれば、前記記録手段が前記光ディスクにデータを記録するときの記録パワーに変化がないと判断し、前記記録手段が前記光ディスクにデータを記録するときの記録パワーを修正しない光ディスク装置。
【請求項２】
本体にセットされている光ディスクに記録するデータが入力される入力手段と、
前記光ディスクにレーザ光を照射し、前記入力手段に入力されたデータを光ディスクに記録する記録手段と、
前記記録手段がデータの記録時に光ディスクに照射するレーザ光の記録パワーを制御する記録パワー制御手段と、を備えた光ディスク装置において、
前記記録手段が前記入力手段におけるデータの入力レートよりも大きい記録レートで、前記入力手段に入力されたデータを前記光ディスクに記録する倍速記録を行っているとき、前記記録手段における前記光ディスクへのデータの記録動作が一時的に停止された記録待機時に、前記光ディスクに直前に記録した所定量のデータを読み取り、このデータの読取信号を用いて、前記記録手段が前記光ディスクにデータを記録するときの記録パワーを修正する記録パワー修正手段を備え、
前記記録パワー制御手段は、前記記録手段が記録動作を再開したとき、前記記録手段が前記光ディスクに照射するレーザ光を、前記記録パワー修正手段により修正された記録パワーに制御する光ディスク装置。
【請求項３】
前記記録パワー修正手段は、前記記録待機時に前記光ディスクから読み取ったデータの読取信号のピークと、ボトムとの差に基づいて、前記記録手段が前記光ディスクにデータを記録するときの記録パワーを修正する請求項２に記載の光ディスク装置。
【請求項４】
前記記録パワー修正手段は、前記記録待機時に前記光ディスクから読み取ったデータの読取信号のピークと、ボトムとの差が所定の範囲内であれば、前記記録手段が前記光ディスクにデータを記録するときの記録パワーに変化がないと判断する請求項２または３に記載の光ディスク装置。
【発明の詳細な説明】
【技術分野】
【０００１】
この発明は、本体にセットされている追記型や書換型の光ディスクに対してデータを記録する光ディスク装置に関し、特に光ディスクに対するデータの記録を入力レートよりも大きい記録レート行う光ディスク装置に関する。
【背景技術】
【０００２】
従来、追記型や書換型の光ディスク（以下、総称して記録型の光ディスクと言う。）にデータを記録する光ディスク装置が実用化され、一般に普及している。追記型の光ディスクとしては例えばＣＤ−Ｒ、ＤＶＤ−Ｒがあり、書換型の光ディスクとしては例えばＣＤ−Ｒ／Ｗ、ＤＶＤ−Ｒ／Ｗがある。光ディスク装置は、光ディスクに記録するデータに基づいてパルス発振させたレーザ光を光ディスクの記録面に照射し、記録するデータに応じたピットを光ディスクの記録面に形成する。また、データを記録する光ディスクの物理的特性や、データの記録時における周囲環境等で、適正な記録品質でデータを光ディスクに記録することができるレーザ光の記録パワーが変化する。このため、記録型の光ディスクには、その内周側にＰＣＡ領域（パワーキャリブレーション領域）が設けられている。そして、光ディスク装置は、光ディスクへのデータの記録に先立って、光ディスクのＰＣＡ領域で光ディスクに照射するレーザ光のパワーを段階的に変化させながらデータを記録するテスト記録を行い、このテスト記録においてデータが適正な記録品質で記録されたときのレーザ光のパワーを記録パワーに決定するＯＰＣ（オプティマムパワーキャリブレーション）を行っている。光ディスク装置は、このＯＰＣで決定した記録パワーで光ディスクへのデータの記録を行う。
【０００３】
また、光ディスクへのデータの記録開始後には、データの記録にともなって光ディスクにおけるデータの記録位置が変化し、また周囲温度も変化することから適正な記録品質でデータを光ディスクに記録することができるレーザ光の記録パワーが変化する。このため、従来の光ディスク装置は、特許文献１に示されているように、ランニングＯＰＣを実行し、適正な記録品質でデータを光ディスクに記録することができるレーザ光の記録パワーが光ディスクへのデータの記録開始後に変化しても、この変化に対応して光ディスクに照射するレーザ光の記録パワーを制御することが行われている。ランニングＯＰＣは、公知のように、データを光ディスクに記録しながら、記録したデータを光ディスクから読み取り、その読取信号に基づいて、光ディスクに照射するレーザ光の記録パワーを算出する処理である。
【０００４】
また、特許文献２では、書換型の光ディスクに対して、入力レートよりも大きい記録レートでデータを記録する倍速記録を行っているとき、光ディスクへのデータの記録が一時的に停止される記録待機時に、データ領域で光ディスクに照射するレーザ光のパワーを段階的に変化させながらデータを記録するテスト記録を行い、このテスト記録においてデータが適正な記録品質で記録されたときのレーザ光のパワーを、以降の記録動作時における記録パワーに修正することが提案されている。
【特許文献１】特開２００３−２２３７１５号公報
【特許文献２】特開２０００−  ６７４５０号公報
【発明の開示】
【発明が解決しようとする課題】
【０００５】
しかしながら、データを記録するときに光ディスクに照射するレーザ光の記録パワーは、光ディスクに記録されているデータを読み取るときに光ディスクに照射するレーザ光のパワー（以下、読取パワーと言う。）よりも大きい。特許文献１等で提案されているランニングＯＰＣは、データを光ディスクに記録しながら、記録したデータを読み取っている。言い換えれば、ランニングＯＰＣでは、読取パワーのレーザ光を照射して光ディスクに記録されたデータを読み取っているのではなく、記録パワーのレーザ光を照射して光ディスクに記録されたデータを読み取っている。このため、ランニングＯＰＣでは、記録パワーのレーザ光を照射しているときの読取信号を、読取パワーのレーザ光を照射したときに得られる読取信号に補正し、この補正した読取信号からデータが適正な記録品質で記録される記録パワーを算出している。したがって、記録パワーのレーザ光を照射しているときの読取信号を、読取パワーのレーザ光を照射したときに得られる読取信号に補正する処理の精度により、記録時に光ディスクに照射するレーザ光退き録パワーが、データが適正な記録品質で記録される記録パワーからズレることがあった。
【０００６】
また、特許文献２で提案されている技術は、入力レートと記録レートとの差により生じる光ディスクへのデータの記録待機時に、光ディスクに照射するレーザ光のパワーを段階的に変化させながらデータのテスト記録を行い、このテスト記録においてデータが適正な記録品質で記録されたときのレーザ光のパワーを以降の記録動作時における記録パワーに修正する構成であるので、上述のランニングＯＰＣのような問題はないが、書換型の光ディスクを前提としたものであった。すなわち、追記型の光ディスクであれば、入力レートと記録レートとの差により生じる光ディスクへのデータの記録待機時に行うテスト記録をデータ領域で行うと、そのデータ領域がデータの記録に利用できなくなり、データ領域に無駄が生じるという問題がある。また、この入力レートと記録レートとの差により生じる光ディスクへのデータの記録待機時に行うテスト記録をＰＣＡ領域で行うようにしても、ＰＣＡ領域が限られているので、記録待機時にテスト記録を行うことで、光ディスクに未記録のデータ領域が残っているときにＰＣＡ領域が無くなり、記録待機時のテスト記録だけでなく、上述のＯＰＣも行えなくなるという問題がある。
【０００７】
この発明の目的は、記録型の光ディスクに対して、入力レートよりも大きい記録レートでデータを記録するときに、光ディスクに対して常に適正な記録品質でデータの記録が行え、且つ光ディスクのデータ領域に無駄を生じさせない光ディスク装置を提供することにある。
【課題を解決するための手段】
【０００８】
この発明の光ディスク装置は、上記課題を解決するために以下の構成を備えている。
【０００９】
（１）本体にセットされている光ディスクに記録するデータが入力される入力手段と、
前記光ディスクにレーザ光を照射し、前記入力手段に入力されたデータを光ディスクに記録する記録手段と、
前記記録手段がデータの記録時に光ディスクに照射するレーザ光の記録パワーを制御する記録パワー制御手段と、を備えた光ディスク装置において、
前記記録手段が前記入力手段におけるデータの入力レートよりも大きい記録レートで、前記入力手段に入力されたデータを前記光ディスクに記録する倍速記録を行っているとき、前記記録手段における前記光ディスクへのデータの記録動作が一時的に停止された記録待機時に、前記光ディスクに直前に記録した所定量のデータを読み取り、このデータの読取信号を用いて、前記記録手段が前記光ディスクにデータを記録するときの記録パワーを修正する記録パワー修正手段を備え、
前記記録パワー制御手段は、前記記録手段が記録動作を再開したとき、前記記録手段が前記光ディスクに照射するレーザ光を、前記記録パワー修正手段により修正された記録パワーに制御する。
【００１０】
この構成では、本体にセットされている光ディスクに対して、記録手段がデータの入力レートよりも大きい記録レートでデータを記録する倍速記録が行える。また、記録パワー制御手段が記録手段に対してデータの記録時に光ディスクに照射するレーザ光の記録パワーを制御する。入力レートよりも大きい記録レートでデータを光ディスクに記録しているとき、この入力レートと記録レートとの差により、記録手段において光ディスクへのデータの記録動作を一時的に停止する記録待機が生じる。簡単に言うと、記録手段はデータの記録、データの記録待機、を交互に繰り返す。記録パワー修正手段は、記録手段がデータの記録待機時に、光ディスクに直前に記録した所定量のデータを読み取る。このとき、記録パワー制御手段は、光ディスクに対して照射するレーザ光のパワーを、記録パワーではなく、読取パワーに制御する。また、記録パワー修正手段は、このときに光ディスクから読み取ったデータの読取信号を用いて、データの記録時に前記光ディスクに照射するレーザ光の記録パワーを修正する。このように、記録待機時に光ディスクに照射するレーザ光のパワーを段階的に変化させながらデータを記録するテスト記録を行うのではなく、直前に光ディスクに記録したデータを読み取った読取信号を用いて、光ディスクにデータが適正な記録品質で記録される記録パワーを得る構成であるので、追記型、書換型の光ディスクにかかわらず、光ディスクのデータ領域に無駄を生じさせない。また、記録パワー修正手段は、記録待機時に読取パワーのレーザ光を光ディスクに照射し、光ディスクに直前に記録したデータを読み取った読取信号を用いてデータの記録時に前記光ディスクに照射するレーザ光の記録パワーを修正するので、光ディスクにおけるデータの記録位置の変化や、データの記録開始後における周囲温度の変化等に対しても対応でき、常に適正な記録品質でデータを記録することができる。
【００１１】
（２）前記記録パワー修正手段は、前記記録待機時に前記光ディスクから読み取ったデータの読取信号のピークと、ボトムとの差に基づいて、前記記録手段が前記光ディスクにデータを記録するときの記録パワーを修正する請。
【００１２】
この構成では、記録パワー修正手段が、読取信号のピークとボトムとの差に基づいて記録パワーを算出する。光ディスクに適正な記録品質で記録されているデータの読取信号、所謂ＲＦ信号、におけるピークと、ボトムとの差は、所定の範囲である。したがって、読取信号におけるピークと、ボトムとの差が、この所定の範囲になるように記録パワーを修正するだけでよいので、適正な記録品質でデータが記録される記録パワーが簡単な処理で得ることができ、装置本体の負荷が抑えられる。
【００１３】
（３）前記記録パワー修正手段は、前記記録待機時に前記光ディスクから読み取ったデータの読取信号のピークと、ボトムとの差が所定の範囲内であれば、前記記録手段が前記光ディスクにデータを記録するときの記録パワーに変化がないと判断する。
【００１４】
この構成では、読取信号におけるピークと、ボトムとの差が、この所定の範囲であれば、適正な記録品質でデータが記録される記録パワーに変化がないと判断し、適正な記録品質でデータが記録される記録パワーの算出にかかる処理を行わない。したがって、装置本体の負荷が一層抑えられる。
【発明の効果】
【００１５】
この発明によれば、追記型、書換型の光ディスクにかかわらず、光ディスクのデータ領域に無駄を生じさせない。また、光ディスクにおけるデータの記録位置の変化や、データの記録開始後における周囲温度の変化等に対しても対応でき、常に適正な記録品質で光ディスクにデータを記録することができる。
【発明を実施するための最良の形態】
【００１６】
以下、この発明の実施形態である光ディスク装置について説明する。
【００１７】
図１は、この発明の実施形態である光ディスク装置の主要部の構成を示すブロック図である。この実施形態の光ディスク装置１は、装置本体の動作を制御する制御部２と、本体にセットされている光ディスク２０に対してレーザ光を照射し、その反射光を検出するピックアップヘッド３と、ピックアップヘッド３が光ディスクに照射するレーザ光のパワーを制御するパワー制御部４と、光ディスク２０に記録するデータが入力される入力部５と、入力部５に入力されたデータをエンコードするエンコード部６と、エンコード部６でエンコードされたデータを一時的に記憶するバッファメモリ７と、ピックアップヘッド３が光ディスク２０から読み取った読取信号（所謂、ＲＦ信号）を処理し、光ディスク２０に記録されているデータを生成する読取信号処理部８と、読取信号処理部８が生成したデータをデコードするデコード部９と、デコード部９でデコードされたデータに基づく再生信号を生成し出力する出力部１０と、を備えている。この実施形態の光ディスク装置１は、データの入力レートよりも大きい記録レートで光ディスク２０にデータを記録する倍速記録が行える。倍速記録では、光ディスク２０に記録するデータの入力レートよりも記録レートのほうが大きいことから、光ディスク２０へのデータの記録（記録動作）、データの記録を一時的に停止させた記録待機を繰り返しながら、光ディスク２０にデータを記録する。倍速記録において記録待機が生じるのは、光ディスク２０に記録するデータが装置本体に入力されていない状態が生じるからである。
【００１８】
ピックアップヘッド３には、光ディスク２０にレーザ光を照射する光源であるレーザダイオードや、光ディスク２０からの反射光を受光する受光素子が設けられている。ピックアップヘッド３は、光ディスク２０の半径方向に移動可能に取り付けられている。パワー制御部４は、ピックアップヘッド３のレーザダイオードから出力されるレーザ光のパワーを制御する。パワー制御部４は、ピックアップヘッド３のレーザダイオードから出力されるレーザ光のパワーを、光ディスク２０へのデータの記録時には適正な記録品質でデータを記録することができる記録パワーに制御し、光ディスク２０からのデータの読取時にはデータを適正に読み取ることができる読取パワーに制御する。
【００１９】
また、入力部５には、図示していないテレビ放送を受信するアンテナが接続されている。入力部５は、選択されているチャンネルで放送されているテレビ放送信号を抽出するチューナや、チューナで抽出されたチャンネルのテレビ放送信号をディジタルデータに変換するＡ／Ｄ変換回路等を有している。エンコード部６は、入力部５から出力されたデータを例えばＭＰＥＧ２によりエンコードする。エンコード部６でエンコードされたデータは、一時的にバッファメモリ７に記憶される。ピックアップヘッド３は、バッファメモリ７に記憶されているデータを光ディスク２０に記録する。このとき、ピックアップヘッド３は、光ディスク２０に記録するデータに基づいて、レーザダイオードから光ディスク２０に照射するレーザ光のパルス制御を行う。また、ピックアップヘッド３のレーザダイオードから光ディスク２０に照射されるレーザ光のパワーは、パワー制御部４により制御される。
【００２０】
読取信号処理部８は、倍速記録を行っているとき、光ディスク２０へのデータの記録が一時的に停止された記録待機時に、ピックアップヘッド３の受光素子の出力を読取信号として取り込み、取り込んだ読取信号のピークとボトムとの差を検出し、この差に基づいて光ディスク１０に対して適正な記録品質のデータを記録することができる記録パワーを修正する。読取信号処理部８は、修正した記録パワーをパワー制御部４に通知する。また、読取信号処理部８は、光ディスク２０の再生時には、ピックアップヘッド３の受光素子の出力を読取信号として取り込み、この読取信号をデコード部９に入力する。デコード部９は、読取信号処理部８から入力された読取信号をディジタルデータに変換するとともに、変換したディジタルデータをデコードする。また、デコードしたデータを出力部１０に入力する。出力部１０はデコード部９から入力されたデータに基づく再生信号を生成し、この再生信号を出力する。出力部１０には、例えばテレビ受像機が接続されており、このテレビ受像機において再生映像や再生音声の出力が行われる。
【００２１】
この実施形態の光ディスク装置１は、本体にセットされている光ディスク２０に対してデータを記録する記録処理や、光ディスク２０に記録されているデータを再生する再生処理を行う。記録処理は、入力部３に入力されるデータの入力レートよりも、光ディスク２０にデータを記録する記録レートの方が大きい、例えば記録レートが入力レートの２倍である、倍速記録で行われる。倍速記録では、上述したように、光ディスク２０へのデータの記録、データの記録を一時的に停止させた記録待機を繰り返して、光ディスク２０にデータを記録する。入力レートよりも記録レートが大きいことが、データの記録を一時的に停止させた記録待機が生じる原因である。具体的には、光ディスク装置１は、図２に示すように、光ディスク２０に未記録のデータが予め定めた一定量に達すると、このデータを光ディスク２０に記録する処理を開始し、このデータの記録が完了すると、光ディスク２０に未記録のデータが予め定めた一定量に達するまで記録待機となる。
【００２２】
また、光ディスク装置２０は、記録時にはＯＰＣ等で決定した記録パワーのレーザ光を光ディスク２０に照射し、読取時には予め定められている読取パワーのレーザ光を照射する。記録パワーは、読取パワーよりも大きい。
【００２３】
以下、この発明の実施形態である光ディスク装置１の記録処理について説明する。図３は、この発明の実施形態である光ディスク装置の記録処理を示すフローチャートである。光ディスク装置１は、記録型の光ディスク２０（追記型、または書換型の光ディスク）が本体にセットされているかどうかを判定する（ｓ１）。光ディスク装置１は、ｓ１で書換型の光ディスク２０が本体にセットされていないと判定すると、エラー処理を行う（ｓ２）。このエラー処理は、書換型の光ディスク２０が装置本体にセットされていないことをユーザに通知する処理であり、書換型の光ディスク２０が装置本体にセットされていないことを示すメッセージを表示部（不図示）に表示したり、音声等によるエラー報知を行う処理である。
【００２４】
なお、光ディスク装置１は、本体に読取専用の光ディスク２０がセットされている場合だけでなく、本体に光ディスク２０がセットされていないときも、ｓ１で書換型の光ディスク２０が装置本体にセットされていないと判定する。
【００２５】
光ディスク装置１は、ｓ１で書換形の光ディスク２０が装置本体にセットされていると判定すると、ＯＰＣを行う（ｓ３）。このＯＰＣでは、装置本体にセットされている記録型の光ディスク２０のＰＣＡ領域において、光ディスク２０に照射するレーザ光のパワーを段階的に変化させながらデータを記録するテスト記録を行う。パワー制御部４が、ピックアップヘッド３から光ディスク２０に照射するレーザ光のパワーを段階的に変化させる。光ディスク装置１は、テスト記録が完了すると、今回テスト記録したデータを読み取る。このとき、光ディスク装置１は、読取パワーのレーザ光を光ディスク２０に照射して、今回光ディスク２０のＰＣＡ領域にテスト記録したデータを読み取る。読取信号処理部８は、テスト記録したデータの読取信号から、テスト記録されたデータの中で記録品質が最適であるデータを検出し、このデータを記録したときに光ディスク２０に照射していたレーザ光のパワーを今回の記録パワーに決定する。読取信号処理部８は、ここで決定した記録パワーをパワー制御部４に通知する。
【００２６】
光ディスク２０に記録するデータは、入力部３に入力されている。光ディスク装置１は、入力部３に入力されたデータをエンコード部６でエンコードし、このエンコードしたデータをバッファメモリ７に記憶している。光ディスク装置２０は、バッファメモリ７に記憶しているエンコードされたデータが、予め定められた量に達すると（ｓ４）、この時点でバッファメモリ７に記憶しているデータ（エンコードされたデータ）を光ディスク２０に記録する記録動作を開始する（ｓ５）。このとき、ピックアップヘッド３は、バッファメモリ７に記憶している光ディスク２０に記録するデータに基づいて、光ディスク２０に照射するレーザ光のパルス制御を行う。また、パワー制御部４は、ピックアップヘッド３に対して光ディスク２０に照射されるレーザ光のパワーを、読取信号処理部８から最後に通知された記録パワー（ここでは、ｓ３にかかるＯＰＣで決定された記録パワー）に制御する。
【００２７】
なお、光ディスク装置１は、ｓ５で記録動作を開始した後も、入力部３に入力されたデータをエンコード部６でエンコードし、このエンコードしたデータをバッファメモリ７に記憶する処理を行っている。
【００２８】
光ディスク装置２０は、ｓ５で光ディスク２０へのデータの記録動作を開始したときに、バッファメモリ７に記憶していたデータの記憶が完了すると（ｓ６）、光ディスク２０へのデータの記録を一時的に停止した記録待機状態に移行する（ｓ７）。このとき、バッファメモリ７には、ｓ５で記録動作を開始してから、ｓ７で記録待機状態に移行するまでの間にエンコード部６でエンコードされたデータが記憶されている。
【００２９】
光ディスク装置１は、ｓ７で記録待機状態に移行すると、光ディスク２０に直前に記録した所定量のデータ、例えば直前に記録した１０００Ｈのデータ、を読み取る（ｓ８）。このとき、光ディスク装置１のパワー制御部４は、光ディスク２０に照射するレーザ光のパワーを読取パワーに制御している。光ディスク装置１の読取信号処理部８は、ｓ８で光ディスク２０から読み取ったデータの読取信号、所謂ＲＦ信号、のピークの平均値と、ボトムの平均値とを算出する（ｓ９）。そして、ｓ９で算出したピークの平均値と、ボトムの平均値との差が予め定められた範囲内であるかどうかを判定する（ｓ１０）。
【００３０】
一般に、光ディスク２０に記録されているデータが適正な記録品質である場合、読取信号のピークの平均値と、ボトムの平均値との差が所定の範囲の値になる。また、図４に示すように、読取信号のピークの平均値とボトムの平均値との差は、記録パワーを上げるにつれて大きくなる。図４に示すＡの範囲が、光ディスク２０に記録されているデータが適正な記録品質であるときに、読取信号のピークの平均値と、ボトムの平均値との差が属する範囲である。したがって、ｓ１０で算出された読取信号のピークの平均値と、ボトムの平均値との差が所定の範囲から外れていると、光ディスク２０に適正な記録品質のデータを記録するための記録パワーが、光ディスク２０におけるデータの記録位置や、周囲温度の変化等により、変化していると判断できる。また、ｓ９で算出した読取信号のピークの平均値と、ボトムの平均値との差と、この差の適正値（例えば、前記所定の範囲の中心値）とのズレ量から、光ディスク２０に適正な記録品質のデータを記録するために、必要な記録パワーの調整量（現在の記録パワーに対して増減する量）を推定することができる。
【００３１】
光ディスク装置１の読取信号処理部８は、ｓ１０でピークの平均値と、ボトムの平均値との差が予め定められた範囲内であると判定すると、ｓ４に戻り上記処理を繰り返す。反対に、ｓ１０でピークの平均値と、ボトムの平均値との差が予め定められた範囲内でないと判定すると、記録パワー修正する（ｓ１１）。ｓ１１では、ｓ９で算出した読取信号のピークの平均値とボトムの平均値との差と、この差の適正値と、のズレ量に応じて、直前の記録パワーに対して増減する量を推定する。読取信号処理部８は、これ以降の記録パワーを、直前の記録パワーから、ここで推定した量を増減した大きさに修正する。読取信号処理部８は、ｓ１１で修正した記録パワーをパワー制御部４に通知する。これにより、記録パワー制御部４は、これ以降に光ディスク２０にデータを記録するときに、光ディスク２０に照射するレーザ光のパワーをｓ１１で修正された記録パワーで行う。
【００３２】
光ディスク装置１は、光ディスク２０に対するデータの記録処理が終了するまで、図３に示す処理を繰り返す。
【００３３】
このように、この実施形態の光ディスク装置１は、記録待機時に、直前に光ディスク２０に記録したデータを読み取った読取信号を用いて、光ディスク２０にデータが適正な記録品質で記録される記録パワーを得る構成であるので、追記型、書換型の光ディスク２０にかかわらず、光ディスク２０のデータ領域に無駄を生じさせない。また、記録待機時に読取パワーのレーザ光を光ディスク２０に照射し、光ディスク２０に直前に記録したデータを読み取った読取信号を用いて、記録時に光ディスク２０に照射するレーザ光の記録パワーを修正するので、光ディスク２０におけるデータの記録位置の変化や、データの記録開始後における周囲温度の変化等に対しても対応でき、常に適正な記録品質でデータを光ディスク２０に記録することができる。
【００３４】
また、光ディスク２０に直前に記録した所定量のデータを読み取った読取信号のピークの平均値と、ボトムの平均値との差に基づいて、これ以降の記録パワーを修正するので、装置本体の負荷も抑えられる。さらに、光ディスク２０に直前に記録した所定量のデータを読み取った読取信号のピークの平均値と、ボトムの平均値との差が、所定の範囲であれば、記録パワーの修正にかかる処理を行わないので、装置本体の負荷が一層抑えられる。
【００３５】
なお、この実施形態の光ディスク装置１は、光ディスク２０に記録されているデータの再生時においては、読取パワーのレーザ光を光ディスク２０に照射し、その反射光を受光したピックアップヘッド３の受光素子の出力を読取信号として処理する。この再生にかかる処理については、公知の光ディスク装置と同様であるので、ここでは説明を省略する。
【図面の簡単な説明】
【００３６】
【図１】この発明の実施形態である光ディスク装置の主要部の構成を示すブロック図である。
【図２】この発明の実施形態である光ディスク装置における倍速記録を説明する図である。
【図３】この発明の実施形態である光ディスク装置の記録処理を示すフローチャートである。
【図４】記録パワーと、読取信号のピークの平均値とボトムの平均値との差と、の関係を示す図である。
【符号の説明】
【００３７】
１−光ディスク装置
２−制御部
３−ピックアップヘッド
４−パワー制御部
５−入力部５
６−エンコード部
７−バッファメモリ
８−読取信号処理部
９−デコード部
１０−出力部
２０−光ディスク
【図１】
2006302391.tif 000003
【図２】
2006302391.tif 000004
【図３】
2006302391.tif 000005
【図４】
2006302391.tif 000006